【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置であって、
前記発音点を表す発音点画像と前記受音点を表す受音点画像とを少なくとも含む操作要素と、前記音響空間を表す音響空間画像とをディスプレイ上に表示する表示手段と、
ユーザの操作に応じて前記操作要素のうち複数の操作要素を選択操作要素として選択する選択手段と、
前記各選択操作要素の移動態様を前記ディスプレイ上の所定の基点と前記各選択操作要素とを結ぶ直線に沿ってのみ前記各選択操作要素の移動を可能ならしめるよう制限する移動態様制限手段と、
前記何れかの選択操作要素に対する移動指示を受信すると、該移動指示の内容と制限された前記移動態様とに基づいて、全ての前記選択操作要素に対する移動状態であって、前記各直線に沿って前記各選択操作要素が移動する前後における、前記基点と前記選択操作要素との間の距離の伸縮率を決定する移動状態決定手段と、
前記直線に沿って直線型補助線を前記ディスプレイ上に表示する補助線表示手段と、
該決定された移動状態に基づいて前記ディスプレイ上の前記選択操作要素の表示位置を変更する表示位置変更手段と、
該決定された移動状態に基づいて前記音響空間内の位置を再設定する音響空間内位置変更手段と、
該音響空間内位置変更手段において変更された結果に基づいて前記パラメータを生成するパラメータ生成手段と
を有することを特徴とするパラメータ生成装置。
【請求項２】
音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置であって、
前記発音点を表す発音点画像と前記受音点を表す受音点画像とを少なくとも含む操作要素と、前記音響空間を表す音響空間画像とをディスプレイ上に表示する表示手段と、
ユーザの操作に応じて前記操作要素のうち複数の操作要素を選択操作要素として選択する選択手段と、
前記各選択操作要素の移動態様を前記ディスプレイ上の所定の基点を中心とし前記各選択操作要素を通過する円周に沿ってのみ前記各選択操作要素の移動を可能ならしめるよう制限する移動態様制限手段と、
前記何れかの選択操作要素に対する移動指示を受信すると、該移動指示の内容と制限された前記移動態様とに基づいて、全ての前記選択操作要素に対する移動状態であって、前記各円周に沿って前記各選択操作要素が回転する回転角度を決定する移動状態決定手段と、
前記円周に沿って円型補助線を前記ディスプレイ上に表示する補助線表示手段と、
該決定された移動状態に基づいて前記ディスプレイ上の前記選択操作要素の表示位置を変更する表示位置変更手段と、
該決定された移動状態に基づいて前記音響空間内の要素の位置を再設定する音響空間内位置変更手段と、
該音響空間内位置変更手段において変更された結果に基づいて前記パラメータを生成するパラメータ生成手段と
を有することを特徴とするパラメータ生成装置。
【請求項３】
音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置であって、
前記発音点を表す発音点画像と前記受音点を表す受音点画像とを少なくとも含む操作要素と、前記音響空間を表す音響空間画像とをディスプレイ上に表示する表示手段と、
ユーザの操作に応じて前記操作要素のうち複数の操作要素を選択操作要素として選択する選択手段と、
第１または第２の制限操作が行われたことを検出する手段と、
前記各選択操作要素の移動態様を、前記第１の制限操作が行われた場合は、前記ディスプレイ上の所定の基点と前記各選択操作要素とを結ぶ直線に沿ってのみ前記各選択操作要素の移動を可能ならしめるよう制限し、前記第２の制限操作が行われた場合は、前記基点を中心とし前記各選択操作要素を通過する円周に沿ってのみ前記各選択操作要素の移動を可能ならしめるよう制限する移動態様制限手段と、
前記何れかの選択操作要素に対する移動指示を受信すると、該移動指示の内容と制限された前記移動態様とに基づいて、全ての前記選択操作要素に対する移動状態であって、前記第１の制限操作が行われた場合は前記各直線に沿って前記各選択操作要素が移動する前後における前記基点と前記各選択操作要素との間の距離の伸縮率を決定する一方、前記第２の制限操作が行われた場合は前記各円周に沿って前記各選択操作要素が回転する回転角度を決定する移動状態決定手段と、
前記第１の制限操作が行われた場合は前記直線に沿って直線型補助線を前記ディスプレイ上に表示する一方、前記第２の制限操作が行われた場合は前記円周に沿って円型補助線を前記ディスプレイ上に表示する補助線表示手段と、
該決定された移動状態に基づいて前記ディスプレイ上の前記選択操作要素の表示位置を変更する表示位置変更手段と、
該決定された移動状態に基づいて前記音響空間内の要素の位置を再設定する音響空間内位置変更手段と、
該音響空間内位置変更手段において変更された結果に基づいて前記パラメータを生成するパラメータ生成手段と
を有することを特徴とするパラメータ生成装置。
【請求項４】
前記選択操作要素に前記受音点画像が含まれているか否かを判定する判定手段と、
前記判定手段における判定結果が肯定的であったことを条件として、前記基点として前記音響空間画像の中心点を選択する第１の基点選択手段と、
前記判定手段における判定結果が否定的であったことを条件として、前記基点として前記受音点画像を選択する第２の基点選択手段と
をさらに有することを特徴とする請求項１ないし３の何れかに記載のパラメータ生成装置。
【請求項５】
コンピュータを、音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置として機能させるためのプログラムであって、
前記コンピュータを、
前記発音点を表す発音点画像と前記受音点を表す受音点画像とを少なくとも含む操作要素と、前記音響空間を表す音響空間画像とをディスプレイ上に表示する表示手段と、
ユーザの操作に応じて前記操作要素のうち複数の操作要素を選択操作要素として選択する選択手段と、
前記各選択操作要素の移動態様を前記ディスプレイ上の所定の基点と前記各選択操作要素とを結ぶ直線に沿ってのみ前記各選択操作要素の移動を可能ならしめるよう制限する移動態様制限手段と、
前記何れかの選択操作要素に対する移動指示を受信すると、該移動指示の内容と制限された前記移動態様とに基づいて、全ての前記選択操作要素に対する移動状態であって、前記各直線に沿って前記各選択操作要素が移動する前後における、前記基点と前記各選択操作要素との間の距離の伸縮率を決定する移動状態決定手段と、
前記直線に沿って直線型補助線を前記ディスプレイ上に表示する補助線表示手段と、
該決定された移動状態に基づいて前記ディスプレイ上の前記選択操作要素の表示位置を変更する表示位置変更手段と、
該決定された移動状態に基づいて前記音響空間内の要素の位置を再設定する音響空間内位置変更手段と、
該音響空間内位置変更手段において変更された結果に基づいて前記パラメータを生成するパラメータ生成手段と、
として機能させるためのプログラム。
【請求項６】
コンピュータを、音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置として機能させるためのプログラムであって、
前記コンピュータを、
前記発音点を表す発音点画像と前記受音点を表す受音点画像とを少なくとも含む操作要素と、前記音響空間を表す音響空間画像とをディスプレイ上に表示する表示手段と、
ユーザの操作に応じて前記操作要素のうち複数の操作要素を選択操作要素として選択する選択手段と、
前記各選択操作要素の移動態様を前記ディスプレイ上の所定の基点を中心とし前記各選択操作要素を通過する円周に沿ってのみ前記各選択操作要素の移動を可能ならしめるよう制限する移動態様制限手段と、
前記何れかの選択操作要素に対する移動指示を受信すると、該移動指示の内容と制限された前記移動態様とに基づいて、全ての前記選択操作要素に対する移動状態であって、前記各円周に沿って前記各選択操作要素が回転する回転角度を決定する移動状態決定手段と、
前記円周に沿って円型補助線を前記ディスプレイ上に表示する補助線表示手段と、
該決定された移動状態に基づいて前記でディスプレイ上の前記選択操作要素の表示位置を変更する表示位置変更手段と、
該決定された移動状態に基づいて前記音響空間内の要素の位置を再設定する音響空間内位置変更手段と、
該音響空間内位置変更手段において変更された結果に基づいて前記パラメータを生成するパラメータ生成手段と、
として機能させるためのプログラム。
【請求項７】
コンピュータを、音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置として機能させるためのプログラムであって、
前記コンピュータを、
前記発音点を表す発音点画像と前記受音点を表す受音点画像とを少なくとも含む操作要素と、前記音響空間を表す音響空間画像とをディスプレイ上に表示する表示手段と、
ユーザの操作に応じて前記操作要素のうち複数の操作要素を選択操作要素として選択する選択手段と、
第１または第２の制限操作が行われたことを検出する手段と、
前記各選択操作要素の移動態様を、前記第１の制限操作が行われた場合は、前記ディスプレイ上の所定の基点と前記各選択操作要素とを結ぶ直線に沿ってのみ前記各選択操作要素の移動を可能ならしめるよう制限し、前記第２の制限操作が行われた場合は、前記基点を中心とし前記各選択操作要素を通過する円周に沿ってのみ前記各選択操作要素の移動を可能ならしめるよう制限する移動態様制限手段と、
前記何れかの選択操作要素に対する移動指示を受信すると、該移動指示の内容と制限された前記移動態様とに基づいて、全ての前記選択操作要素に対する移動状態であって、前記第１の制限操作が行われた場合は前記各直線に沿って前記各選択操作要素が移動する前後における前記基点と前記各選択操作要素との間の距離の伸縮率を決定する一方、前記第２の制限操作が行われた場合は前記各円周に沿って前記各選択操作要素が回転する回転角度を決定する移動状態決定手段と、
前記第１の制限操作が行われた場合は前記直線に沿って直線型補助線を前記ディスプレイ上に表示する一方、前記第２の制限操作が行われた場合は前記円周に沿って円型補助線を前記ディスプレイ上に表示する補助線表示手段と、
該決定された移動状態に基づいて前記ディスプレイ上の前記選択操作要素の表示位置を変更する表示位置変更手段と、
該決定された移動状態に基づいて前記音響空間内の要素の位置を再設定する音響空間内位置変更手段と、
該音響空間内位置変更手段において変更された結果に基づいて前記パラメータを生成するパラメータ生成手段と、
として機能させるためのプログラム。
【請求項８】
前記コンピュータをさらに、
前記選択操作要素に前記受音点画像が含まれているか否かを判定する判定手段と、
前記判定手段における判定結果が肯定的であったことを条件として、前記基点として前記音響空間画像の中心点を選択する第１の基点選択手段と、
前記判定手段における判定結果が否定的であったことを条件として、前記基点として前記受音点画像を選択する第２の基点選択手段と、
として機能させるための請求項５ないし７の何れかに記載のプログラム。
【手続補正２】
【補正対象書類名】明細書
【補正対象項目名】０００７
【補正方法】変更
【補正の内容】
【０００７】
上記課題を解決するため本発明にあっては、下記構成を具備することを特徴とする。なお、括弧内は例示である。
請求項１記載のパラメータ生成装置にあっては、音を発する発音点（１０４）と当該発音点（１０４）から発せられた音を受ける受音点（１０６）とを含む要素が配置された音響空間（１０２）の音響特性をシミュレートするために、前記発音点（１０４）から出力される音声信号（Ｓi）を加工して前記受音点（１０６）において受信される音声信号を合成するためのパラメータ（遅延部６０のタップ位置およびＰＡＮ制御部６２、マトリクスミキサ６４，６６における各乗算器の減衰率等）を生成するパラメータ生成装置であって、前記発音点（１０４）を表す発音点画像（２１０）と前記受音点（１０６）を表す受音点画像（２１２）とを少なくとも含む操作要素と、前記音響空間（１０２）を表す音響空間画像（２０４）とをディスプレイ上に表示する表示手段と、ユーザの操作に応じて前記操作要素のうち複数の操作要素を選択操作要素として選択する選択手段（ＳＰ２９）と、前記各選択操作要素の移動態様を前記ディスプレイ上の所定の基点と前記各選択操作要素とを結ぶ直線に沿ってのみ前記各選択操作要素の移動を可能ならしめるよう制限する（補助線に沿ってのみ移動可能）移動態様制限手段（ctrlキー）と、前記何れかの選択操作要素に対する移動指示を受信すると、該移動指示の内容と制限された前記移動態様とに基づいて、全ての前記選択操作要素に対する移動状態（補助線上の移動距離の伸縮率）であって、前記各直線に沿って前記各選択操作要素が移動する前後における、前記基点と前記選択操作要素との間の距離の伸縮率を決定する移動状態決定手段（ＳＰ７６，ＳＰ８８，ＳＰ９２）と、前記直線に沿って直線型補助線を前記ディスプレイ上に表示する補助線表示手段（ＳＰ７８，ＳＰ９０，ＳＰ９４）と、該決定された移動状態に基づいて前記ディスプレイ上の前記選択操作要素の表示位置を変更する表示位置変更手段と、該決定された移動状態に基づいて前記音響空間（１０２）内の位置を再設定する音響空間内位置変更手段（ＳＰ８０）と、該音響空間内位置変更手段（ＳＰ８０）において変更された結果に基づいて前記パラメータを生成するパラメータ生成手段（ＳＰ１１２〜ＳＰ１３２）とを有することを特徴とする。
また、請求項２記載のパラメータ生成装置にあっては、音を発する発音点（１０４）と当該発音点（１０４）から発せられた音を受ける受音点（１０６）とを含む要素が配置された音響空間（１０２）の音響特性をシミュレートするために、前記発音点（１０４）から出力される音声信号（Ｓi）を加工して前記受音点（１０６）において受信される音声信号を合成するためのパラメータ（遅延部６０のタップ位置およびＰＡＮ制御部６２、マトリクスミキサ６４，６６における各乗算器の減衰率等）を生成するパラメータ生成装置であって、前記発音点（１０４）を表す発音点画像（２１０）と前記受音点（１０６）を表す受音点画像（２１２）とを少なくとも含む操作要素と、前記音響空間（１０２）を表す音響空間画像（２０４）とをディスプレイ上に表示する表示手段と、ユーザの操作に応じて前記操作要素のうち複数の操作要素を選択操作要素として選択する選択手段（ＳＰ２９）と、前記各選択操作要素の移動態様を前記ディスプレイ上の所定の基点を中心とし前記各選択操作要素を通過する円周に沿ってのみ前記各選択操作要素の移動を可能ならしめるよう制限する移動態様制限手段（altキー）と、前記何れかの選択操作要素に対する移動指示を受信すると、該移動指示の内容と制限された前記移動態様とに基づいて、全ての前記選択操作要素に対する移動状態であって、前記各円周に沿って前記各選択操作要素が回転する回転角度を決定する移動状態決定手段（ＳＰ７６，ＳＰ８８，ＳＰ９２）と、前記円周に沿って円型補助線を前記ディスプレイ上に表示する補助線表示手段と、該決定された移動状態に基づいて前記ディスプレイ上の前記選択操作要素の表示位置を変更する表示位置変更手段（ＳＰ７８，ＳＰ９０，ＳＰ９４）と、該決定された移動状態に基づいて前記音響空間内の要素の位置を再設定する音響空間内位置変更手段（ＳＰ８０）と、該音響空間内位置変更手段（ＳＰ８０）において変更された結果に基づいて前記パラメータを生成するパラメータ生成手段（ＳＰ１１２〜ＳＰ１３２）とを有することを特徴とする。
また、請求項３記載のパラメータ生成装置にあっては、音を発する発音点（１０４）と当該発音点（１０４）から発せられた音を受ける受音点（１０６）とを含む要素が配置された音響空間（１０２）の音響特性をシミュレートするために、前記発音点（１０４）から出力される音声信号（Ｓi）を加工して前記受音点（１０６）において受信される音声信号を合成するためのパラメータ（遅延部６０のタップ位置およびＰＡＮ制御部６２、マトリクスミキサ６４，６６における各乗算器の減衰率等）を生成するパラメータ生成装置であって、前記発音点（１０４）を表す発音点画像（２１０）と前記受音点（１０６）を表す受音点画像（２１２）とを少なくとも含む操作要素と、前記音響空間（１０２）を表す音響空間画像（２０４）とをディスプレイ上に表示する表示手段と、ユーザの操作に応じて前記操作要素のうち複数の操作要素を選択操作要素として選択する選択手段（ＳＰ２９）と、第１または第２の制限操作（ctrlキーまたはaltキーの押下）が行われたことを検出する手段と、前記各選択操作要素の移動態様を、前記第１の制限操作（ctrlキーの押下）が行われた場合は、前記ディスプレイ上の所定の基点と前記各選択操作要素とを結ぶ直線に沿ってのみ前記各選択操作要素の移動を可能ならしめるよう制限し、前記第２の制限操作（altキーの押下）が行われた場合は、前記基点を中心とし前記各選択操作要素を通過する円周に沿ってのみ前記各選択操作要素の移動を可能ならしめるよう制限する移動態様制限手段（ctrlキーおよびaltキー）と、前記何れかの選択操作要素に対する移動指示を受信すると、該移動指示の内容と制限された前記移動態様とに基づいて、全ての前記選択操作要素に対する移動状態であって、前記第１の制限操作が行われた場合は前記各直線に沿って前記各選択操作要素が移動する前後における前記基点と前記各選択操作要素との間の距離の伸縮率を決定する一方、前記第２の制限操作が行われた場合は前記各円周に沿って前記各選択操作要素が回転する回転角度を決定する移動状態決定手段（ＳＰ７６，ＳＰ８８，ＳＰ９２）と、前記第１の制限操作（ctrlキーの押下）が行われた場合は前記直線に沿って直線型補助線（２３２〜２４６）を前記ディスプレイ上に表示する一方、前記第２の制限操作（altキーの押下）が行われた場合は前記円周に沿って円型補助線（２５２〜２６６）を前記ディスプレイ上に表示する補助線表示手段（ＳＰ６０）と、該決定された移動状態に基づいて前記ディスプレイ上の前記選択操作要素の表示位置を変更する表示位置変更手段（ＳＰ７８，ＳＰ９０，ＳＰ９４）と、該決定された移動状態に基づいて前記音響空間内の要素の位置を再設定する音響空間内位置変更手段（ＳＰ８０）と、該音響空間内位置変更手段（ＳＰ８０）において変更された結果に基づいて前記パラメータを生成するパラメータ生成手段（ＳＰ１１２〜ＳＰ１３２）とを有することを特徴とする。
さらに、請求項４記載の構成にあっては、請求項１ないし３の何れかに記載のパラメータ生成装置において、前記選択操作要素に前記受音点画像（２１２）が含まれているか否かを判定する判定手段と、前記判定手段における判定結果が肯定的であったことを条件として、前記基点として前記音響空間画像（２０４）の中心点（２４０）を選択する第１の基点選択手段（ＳＰ３６，ＳＰ５６）と、前記判定手段における判定結果が否定的であったことを条件として、前記基点として前記受音点画像（２１２）を選択する第２の基点選択手段（ＳＰ３８，ＳＰ５８）とをさらに有することを特徴とする。
また、請求項５記載のプログラムにあっては、コンピュータを、音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置として機能させるためのプログラムであって、前記コンピュータを、前記発音点を表す発音点画像と前記受音点を表す受音点画像とを少なくとも含む操作要素と、前記音響空間を表す音響空間画像とをディスプレイ上に表示する表示手段と、ユーザの操作に応じて前記操作要素のうち複数の操作要素を選択操作要素として選択する選択手段と、前記各選択操作要素の移動態様を前記ディスプレイ上の所定の基点と前記各選択操作要素とを結ぶ直線に沿ってのみ前記各選択操作要素の移動を可能ならしめるよう制限する移動態様制限手段と、前記何れかの選択操作要素に対する移動指示を受信すると、該移動指示の内容と制限された前記移動態様とに基づいて、全ての前記選択操作要素に対する移動状態であって、前記各直線に沿って前記各選択操作要素が移動する前後における、前記基点と前記各選択操作要素との間の距離の伸縮率を決定する移動状態決定手段と、前記直線に沿って直線型補助線を前記ディスプレイ上に表示する補助線表示手段と、該決定された移動状態に基づいて前記ディスプレイ上の前記選択操作要素の表示位置を変更する表示位置変更手段と、該決定された移動状態に基づいて前記音響空間内の要素の位置を再設定する音響空間内位置変更手段と、該音響空間内位置変更手段において変更された結果に基づいて前記パラメータを生成するパラメータ生成手段と、として機能させるためのものであることを特徴とする。
また、請求項６記載のプログラムにあっては、コンピュータを、音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置として機能させるためのプログラムであって、前記コンピュータを、前記発音点を表す発音点画像と前記受音点を表す受音点画像とを少なくとも含む操作要素と、前記音響空間を表す音響空間画像とをディスプレイ上に表示する表示手段と、ユーザの操作に応じて前記操作要素のうち複数の操作要素を選択操作要素として選択する選択手段と、前記各選択操作要素の移動態様を前記ディスプレイ上の所定の基点を中心とし前記各選択操作要素を通過する円周に沿ってのみ前記各選択操作要素の移動を可能ならしめるよう制限する移動態様制限手段と、前記何れかの選択操作要素に対する移動指示を受信すると、該移動指示の内容と制限された前記移動態様とに基づいて、全ての前記選択操作要素に対する移動状態であって、前記各円周に沿って前記各選択操作要素が回転する回転角度を決定する移動状態決定手段と、前記円周に沿って円型補助線を前記ディスプレイ上に表示する補助線表示手段と、該決定された移動状態に基づいて前記でディスプレイ上の前記選択操作要素の表示位置を変更する表示位置変更手段と、該決定された移動状態に基づいて前記音響空間内の要素の位置を再設定する音響空間内位置変更手段と、該音響空間内位置変更手段において変更された結果に基づいて前記パラメータを生成するパラメータ生成手段と、として機能させるためのものであることを特徴とする。
また、請求項７記載のプログラムにあっては、コンピュータを、音を発する発音点と当該発音点から発せられた音を受ける受音点とを含む要素が配置された音響空間の音響特性をシミュレートするために、前記発音点から出力される音声信号を加工して前記受音点において受信される音声信号を合成するためのパラメータを生成するパラメータ生成装置として機能させるためのプログラムであって、前記コンピュータを、前記発音点を表す発音点画像と前記受音点を表す受音点画像とを少なくとも含む操作要素と、前記音響空間を表す音響空間画像とをディスプレイ上に表示する表示手段と、ユーザの操作に応じて前記操作要素のうち複数の操作要素を選択操作要素として選択する選択手段と、第１または第２の制限操作が行われたことを検出する手段と、前記各選択操作要素の移動態様を、前記第１の制限操作（ctrlキーの押下）が行われた場合は、前記ディスプレイ上の所定の基点と前記各選択操作要素とを結ぶ直線に沿ってのみ前記各選択操作要素の移動を可能ならしめるよう制限し、前記第２の制限操作（altキーの押下）が行われた場合は、前記基点を中心とし前記各選択操作要素を通過する円周に沿ってのみ前記各選択操作要素の移動を可能ならしめるよう制限する移動態様制限手段と、前記何れかの選択操作要素に対する移動指示を受信すると、該移動指示の内容と制限された前記移動態様とに基づいて、全ての前記選択操作要素に対する移動状態であって、前記第１の制限操作（ctrlキーの押下）が行われた場合は前記各直線に沿って前記各選択操作要素が移動する前後における前記基点と前記各選択操作要素との間の距離の伸縮率を決定する（ＳＰ７６）一方、前記第２の制限操作（altキーの押下）が行われた場合は前記各円周に沿って前記各選択操作要素が回転する回転角度を決定する（ＳＰ８８）移動状態決定手段と、前記第１の制限操作（ctrlキーの押下）が行われた場合は前記直線に沿って直線型補助線（２３２〜２４６）を前記ディスプレイ上に表示する一方、前記第２の制限操作（altキーの押下）が行われた場合は前記円周に沿って円型補助線（２５２〜２６６）を前記ディスプレイ上に表示する補助線表示手段（ＳＰ４０，ＳＰ６０）と、該決定された移動状態に基づいて前記ディスプレイ上の前記選択操作要素の表示位置を変更する表示位置変更手段と、該決定された移動状態に基づいて前記音響空間内の要素の位置を再設定する音響空間内位置変更手段と、該音響空間内位置変更手段において変更された結果に基づいて前記パラメータを生成するパラメータ生成手段と、として機能させるためのものであることを特徴とする。
さらに、請求項８記載の構成にあっては、請求項５ないし７の何れかに記載のプログラムにおいて、前記コンピュータをさらに、前記選択操作要素に前記受音点画像が含まれているか否かを判定する判定手段と、前記判定手段における判定結果が肯定的であったことを条件として、前記基点として前記音響空間画像の中心点を選択する第１の基点選択手段と、前記判定手段における判定結果が否定的であったことを条件として、前記基点として前記受音点画像を選択する第２の基点選択手段と、として機能させるためのものであることを特徴とする。